(57)【要約】      （修正有）【課題】長靴内を長期安定的に快適な温度範囲に保つ長靴を提供する。【解決手段】蓄熱長靴１０として、長靴本体１１の内面に蓄熱生地２１を含む蓄熱部２０を設けた。従って、長靴の着用者の運動に伴う足の発熱を蓄熱部２０の蓄熱生地２１に吸熱〜蓄熱し、長靴内を長期安定的に快適な温度範囲に保ち、足の暖をとることができる。【選択図】図１
0003144420.tif 000002
【実用新案登録請求の範囲】
【請求項１】
長靴本体の内面に蓄熱生地を含む蓄熱部を設けたことを特徴とする蓄熱長靴。
【請求項２】
前記蓄熱部が蓄熱生地の外側に保温材層を備えた請求項１に記載の蓄熱長靴。
【請求項３】
前記蓄熱部が長靴本体の内面に接着されてなる請求項１又は２に記載の蓄熱長靴。
【請求項４】
前記蓄熱部が長靴本体の内面に脱着されるインナーソックスからなる請求項１又は２に記載の蓄熱長靴。
【請求項５】
前記インナーソックスが蓄熱生地の外側に保温材層を備え、保温材層の外側に化繊被覆層を備えてなる請求項４に記載の蓄熱長靴。
【考案の詳細な説明】
【技術分野】
【０００１】
本考案は蓄熱長靴に関する。
【背景技術】
【０００２】
従来、寒冷地で使用される長靴では、特許文献１、２に記載の中敷を用いてその防寒性、保温性を確保している。
【０００３】
特許文献１に記載の中敷は、鉄粉等の金属粉を主成分とする発熱体組成物と空気中の酸素との反応熱を利用する靴用カイロにより構成されている。
【０００４】
特許文献２に記載の中敷は、電源からの給電により発熱する発熱体を納めて構成されている。
【特許文献１】特再公表WO95／17864
【特許文献２】特開2001-190306
【考案の開示】
【考案が解決しようとする課題】
【０００５】
特許文献１に記載の中敷は、カイロの反応機能が終了したときに使用不能になり、暖をとるには例えば５〜６時間毎にカイロを交換する必要がある。
【０００６】
特許文献２に記載の中敷は、発熱体の電源となる電池を携帯して接続する必要があるし、電池による概ね有効な発熱時間は７〜９時間である。
【０００７】
本考案の課題は、長靴内を長期安定的に快適な温度範囲に保つことにある。
【課題を解決するための手段】
【０００８】
請求項１の考案は、長靴本体の内面に蓄熱生地を含む蓄熱部を設けた蓄熱長靴である。
【０００９】
請求項２の考案は、請求項１の考案において更に、前記蓄熱部が蓄熱生地の外側に保温材層を備えたものである。
【００１０】
請求項３の考案は、請求項１又は２の考案において更に、前記蓄熱部が長靴本体の内面に接着されてなるようにしたものである。
【００１１】
請求項４の考案は、請求項１又は２の考案において更に、前記蓄熱部が長靴本体の内面に脱着されるインナーソックスからなるようにしたものである。
【００１２】
請求項５の考案は、請求項４の考案において更に、前記インナーソックスが蓄熱生地の外側に保温材層を備え、保温材層の外側に化繊被覆層を備えてなるようにしたものである。
【考案の効果】
【００１３】
（請求項１）
(a)蓄熱長靴として、長靴本体の内面に蓄熱生地を含む蓄熱部を設けた。従って、長靴の着用者の運動に伴なう足の発熱を蓄熱部の蓄熱生地に吸熱〜蓄熱し、長靴内を長期安定的に快適な温度範囲に保ち、足の暖をとることができる。
【００１４】
（請求項２）
(b)蓄熱部が蓄熱生地の外側に保温材層を備えた。従って、保温材層が蓄熱部の蓄熱生地を保温し、蓄熱生地による蓄熱性能を向上する。
【００１５】
（請求項３）
(c)蓄熱部が長靴本体の内面に接着される。従って、長靴本体の内面に保温材層を介し（又は保温材層を介さずに直接的に）蓄熱生地を接着することにより、蓄熱長靴を製作でき、製作コストを低減できる。
【００１６】
（請求項４）
(d)蓄熱部が長靴本体の内面に脱着されるインナーソックスからなる。従って、長靴本体からインナーソックスを取り出し、蓄熱生地等の汚れを除去したり、乾燥させたりすることができ、清潔性を向上できる。
【００１７】
（請求項５）
(e)インナーソックスが蓄熱生地の外側に保温材層を備え、保温材層の外側に化繊被覆層を備える。従って、長靴本体から取り出されるインナーソックスの外面を化繊被覆層により形成し、保温材層を保護してその破損を防ぐことができる。
【考案を実施するための最良の形態】
【００１８】
図１は実施例１の蓄熱長靴を示す模式断面図、図２は実施例２の蓄熱長靴を示す模式断面図、図３はインナーソックスを示す模式断面図である。
【実施例】
【００１９】
（実施例１）（図１）
図１に示す蓄熱長靴１０は、ゴムからなる長靴本体１１の内面の全域に蓄熱部２０を接着している。
【００２０】
蓄熱部２０は、着用者の足が入る靴下状の蓄熱生地２１と、蓄熱生地２１の外側の全面に積層されて接着される保温材層２２とからなり、長靴本体１１の内面の全面に保温材層２２を接着して設けられる。
【００２１】
蓄熱生地２１は着用者の足に接し、足の発熱を吸熱〜蓄熱する。蓄熱生地２１としては、アクリル繊維とウール繊維を混紡、混繊、混織したもの、例えばコーピロンウール（東レの商品名）を採用できる。
【００２２】
保温材層２２は、ウレタン等の多孔質体の孔に空気を蓄えて空気保温層を形成する。保温材層２２としては、ポリウレタンを採用できる。
【００２３】
本実施例によれば以下の作用効果を奏する。
(a)蓄熱長靴１０として、長靴本体１１の内面に蓄熱生地２１を含む蓄熱部２０を設けた。従って、長靴１０の着用者の運動に伴なう足の発熱を蓄熱部２０の蓄熱生地２１に吸熱〜蓄熱し、長靴１０内を長期安定的に快適な温度範囲に保ち、足の暖をとることができる。
【００２４】
(b)蓄熱部２０が蓄熱生地２１の外側に保温材層２２を備えた。従って、保温材層２２が蓄熱部２０の蓄熱生地２１を保温し、蓄熱生地２１による蓄熱性能を向上する。
【００２５】
(c)蓄熱部２０が長靴本体１１の内面に接着される。従って、長靴本体１１の内面に保温材層２２を介し（又は保温材層２２を介さずに直接的に）蓄熱生地２１を接着することにより、蓄熱長靴１０を製作でき、製作コストを低減できる。
【００２６】
（実施例２）（図２、図３）
図２に示す蓄熱長靴１０は、ゴムからなる長靴本体１１に設けられたメリヤス裏布１２等の内面の全域に、インナーソックス３０Ａからなる蓄熱部３０を脱着可能に設けている。メリヤス裏布１２は着用者の発汗を吸収して靴内の湿度を整えるとともに、着用者の足の感触を良くする。
【００２７】
インナーソックス３０Ａからなる蓄熱部３０は、図３に示す如く、着用者の足が入る靴下状の蓄熱生地３１と、蓄熱生地３１の外側の全面に積層されて接着される保温材層３２と、保温材層３２の外側の全面に積層されて接着される化繊被覆層３３とからなる。
【００２８】
蓄熱生地３１は着用者の足に接し、足の発熱を吸熱〜蓄熱する。蓄熱生地３１としては、アクリル繊維とウール繊維を混紡、混繊、混織したもの、例えばコーピロンウール（東レの商品名）を採用できる。
【００２９】
保温材層３２は、インナーソックス３０Ａを長靴本体１１に脱着し易い形態に整えるとともに、ウレタン等の多孔質体の孔に空気を蓄えて空気保温層を形成する。保温材層３２としては、ポリウレタンを採用できる。
【００３０】
化繊被覆層３３は、保温材層３２のウレタン等を保護してその破損を防ぐ。化繊被覆層３３としては、ポリエステル等を採用できる。
【００３１】
本実施例によれば以下の作用効果を奏する。
(a)蓄熱長靴１０として、長靴本体１１の内面に蓄熱生地３１を含む蓄熱部３０を設けた。従って、長靴１０の着用者の運動に伴なう足の発熱を蓄熱部３０の蓄熱生地３１に吸熱〜蓄熱し、長靴１０内を長期安定的に快適な温度範囲に保ち、足の暖をとることができる。
【００３２】
(b)蓄熱部３０が蓄熱生地３１の外側に保温材層３２を備えた。従って、保温材層３２が蓄熱部３０の蓄熱生地３１を保温し、蓄熱生地３１による蓄熱性能を向上する。
【００３３】
(c)蓄熱部３０が長靴本体１１の内面に脱着されるインナーソックス３０Ａからなる。従って、長靴本体１１からインナーソックス３０Ａを取り出し、蓄熱生地３１等の汚れを除去したり、乾燥させたりすることができ、清潔性を向上できる。
【００３４】
(d)インナーソックス３０Ａが蓄熱生地３１の外側に保温材層３２を備え、保温材層３２の外側に化繊被覆層３３を備える。従って、長靴本体１１から取り出されるインナーソックス３０Ａの外面を化繊被覆層３３により形成し、保温材層３２を保護してその破損を防ぐことができる。
【００３５】
以上、本考案の実施例を図面により詳述したが、本考案の具体的な構成はこの実施例に限られるものではなく、本考案の要旨を逸脱しない範囲の設計の変更等があっても本考案に含まれる。尚、本考案の蓄熱長靴を含む長靴一般にあっては、長靴本体の外面の全面に反射効果のある塗料を塗布しても良い。大きな反射面積で車両のヘッドライト等を確実に反射し、夜間着用者の歩行の安全を確保できる。また、昼間も太陽光で反射することにより、特異なデザイン効果を具備し得る。
【図面の簡単な説明】
【００３６】
【図１】図１は実施例１の蓄熱長靴を示す模式断面図である。
【図２】図２は実施例２の蓄熱長靴を示す模式断面図である。
【図３】図３はインナーソックスを示す模式断面図である。
【符号の説明】
【００３７】
１０  蓄熱長靴 
１１  長靴本体
２０  蓄熱部
２１  蓄熱生地
２２  保温材層
３０  蓄熱部
３０Ａ  インナーソックス
３１  蓄熱生地
３２  保温材層
３３  化繊被覆層
【図１】
0003144420.tif 000003
【図２】
0003144420.tif 000004
【図３】
0003144420.tif 000005